(57)【要約】【課題】虫が発光部を収容するスペースに入り込むことを抑制でき、虫の当該スペースへの侵入に起因する照射光の光量低下や見栄えの低下を抑制できる照明装置を提供すること。【解決手段】照明装置１が、基板２１、及び基板２１に実装された発光素子を含む光源２０と、基板２１を保持する保持部材３０と、光源２０から出射された光を反射する内周面を有する反射部材４０と、を備えるようにする。光源２０の側方が、保持部材３０の外側壁部３４と反射部材４０の外壁部７７とで全周に亘って囲まれるようにする。【選択図】図３
2019087505.tif 000002
【特許請求の範囲】
【請求項１】
基板、及びその基板に実装された発光素子を含む光源と、
前記基板を保持する保持部材と、
前記光源から出射された光を反射する内周面を有する反射部材と、を備え、
前記光源の側方が、前記保持部材の側壁と前記反射部材の側壁とで全周に亘って囲まれる、照明装置。
【請求項２】
前記保持部材の前記側壁における高さ方向の一方側端部には、第１端面、その第１端面につながる段部、及びその段部の前記第１端面側とは反対側の端部につながる第２端面を含む接触部が設けられ、
前記反射部材の前記側壁における前記高さ方向の他方側端部には、前記第１端面に対応する形状の第１端面、前記段部に対応する形状の段部、及び前記第２端面に対応する形状の第２端面を有して、前記接触部の形状に対応する形状を有する被接触部が設けられ、
前記接触部と前記被接触部が互いに嵌め合わされる、請求項１に記載の照明装置。
【請求項３】
前記保持部材及び前記反射部材の夫々が、半円弧状の縁を有する切欠を有し、
前記保持部材の前記切欠と、前記反射部材の前記切欠は、互いに相俟って貫通孔を構成し、
前記貫通孔の内周面が、その貫通孔を通過すると共に前記光源に電力を供給するケーブルの外周面に対応する形状を有する、請求項１又は２に記載の照明装置。
【請求項４】
前記保持部材と、前記反射部材と、レンズによって、前記光源の側方及び前記光源の高さ方向の透光部材側のスペースが囲まれる、請求項１乃至３のいずれか１つに記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、本体、光源、及び取付部材を備え、光源は、基板と、基板に実装された発光素子を含む。また、取付部材は、基板の周縁部の形状に対応する形状の枠体において周方向の一部が存在しない切欠部が設けられた形状を有し、厚さ方向に貫通する凹部とねじ孔を有する。基板は、取付部材の切欠部から凹部内に収容され、その状態で、ねじが下側からねじ孔に挿通されて基部の底面に締め込まれる。このようにして、光源が基部に取り付けられる。
【先行技術文献】
【特許文献】
【０００３】
【特許文献１】特開２０１７−６８９３７号公報
【発明の概要】
【発明が解決しようとする課題】
【０００４】
上記照明装置では、光源を保持する取付部材（枠体）が、周縁部の一部に切欠部を有するので、虫が切欠部を通じて発光素子を収容しているスペースに入り込んで照射光の光量低下や見栄えの低下を引き起こす虞がある。
【０００５】
そこで、本開示の目的は、虫が発光部を収容するスペースに入り込むことを抑制でき、虫の当該スペースへの侵入に起因する照射光の光量低下や見栄えの低下を抑制できる照明装置を提供することにある。
【課題を解決するための手段】
【０００６】
上記課題を解決するため、本開示に係る照明装置は、基板、及びその基板に実装された発光素子を含む光源と、基板を保持する保持部材と、光源から出射された光を反射する内周面を有する反射部材と、を備え、光源の側方が、保持部材の側壁と反射部材の側壁とで全周に亘って囲まれている。
【発明の効果】
【０００７】
本開示に係る照明装置によれば、光源の側方からの虫の侵入を抑制できる。したがって、虫が発光部を収容するスペースに入り込むことを抑制でき、虫の当該スペースへの侵入に起因する照射光の光量低下や見栄えの低下を抑制できる。
【図面の簡単な説明】
【０００８】
【図１】本開示の一実施形態に係る照明装置の斜視図である。
【図２】上記照明装置の主要部の分解斜視図である。
【図３】上記照明装置を高さ方向と径方向を含む切断面で切断したときの断面図である。
【図４】図２と異なる角度から見たときの、照明装置の主要部の分解斜視図である。
【図５】上記照明装置の保持部材の第１ホルダを上側から見たときの斜視図である。
【図６】上記第１ホルダを下側から見たときの斜視図である。
【図７】上記照明装置おいて、下側から保持部材が見えるようにした平面図である。
【図８】光源、保持部材、反射部材、及び透光部材を含むアッセンブリの斜視図である。
【図９】光源、保持部材、反射部材、透光部材、及び枠体を含むアッセンブリの斜視図である。
【図１０】透光部材を上側から見たときの斜視図である。
【図１１】反射部材を上側から見たときの斜視図である。
【図１２】反射部材を下側から見たときの斜視図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明及び図面において、Ｒ方向は、以下で説明する反射部材４０の貫通孔４１の径方向であり、θ方向は、貫通孔４１の周方向である。また、Ｚ方向は、照明装置１の高さ方向を示す。Ｒ方向、θ方向、及びＺ方向は、互いに直交する。また、以下の説明で、中心軸とは、貫通孔４１の中心軸を含む直線（貫通孔４１の中心軸とその延長線）を示す。以下の説明では、Ｚ方向が、照明装置１の光源２０から出射される光の光軸方向に一致する場合について説明する。しかし、Ｚ方向は、照明装置の光源から出射される光軸方向に一致しなくてもよい。また、以下の説明で、鉛直方向や水平方向に関連する文言、例えば、下側、上側、水平方向等を用いた場合、それらの文言は、照明装置１からの出射光が鉛直方向下側に照射され、該出射光の光軸が鉛直方向に一致している状態で表現されている。本実施例では、Ｚ方向が鉛直方向に一致する。
【００１０】
図１は、本開示の一実施形態に係る照明装置１の斜視図であり、図２は、照明装置１の主要部の分解斜視図である。照明装置１は、埋込型ダウンライトであり、ホール等の建物の天井に埋め込み配置され、下方を照明する。図１に示すように、照明装置１は、基台１０、枠体６０、及び取付部５５を備える。基台１０は、照明装置１の外郭部材であり、有底円筒状部１１を有する。基台１０は、有底円筒状部１１内に光源２０（図３参照）を取り付ける取付台として機能する。また、基台１０は、上方に突出する複数のフィン１２を有する。基台１０全体は、光源２０で発生する熱を放散させるヒートシンクとしても機能し、特にフィン１２が光源２０からの熱を外気に放熱する。このため、基台１０は、金属材料等の熱伝導率の高い材料によって構成されると好ましい。基台１０は、アルミダイカスト等で、有底円筒状部１１とフィン１２を一体成形してもよい。又は、基台１０は、有底円筒状部１１とフィン１２を接合する構成でもよい。この場合、例えば、有底円筒状部に設けた突起を、フィンに設けられた孔に挿入した後に塑性変形させることで、有底円筒状部とフィンを接続してもよい。なお、基台は、フィンを有さなくてもよい。
【００１１】
枠体６０は、２重構造を有する略円筒状の部材であり、外側円筒状部材６１と、内側円筒状部材６２を含む。内側円筒状部材６２は、外側円筒状部材６１内に収容され、光源２０からの光は、内側円筒状部材６２の内部を通って照明装置１の外部に出射される。枠体６０の外径は、基台１０の外径と同程度である。枠体６０は、アルミニウム等の金属材料、又はポリブチレンテレフタレート等の樹脂材料によって好適に形成される。図２に示すように、外側及び内側円筒状部材６１,６２は、Ｚ方向における光源２０側（上側）の端部にＲθ平面の内側に突出してＺ方向に延在する２つのボス部６１ａ,６２ａを有し、各ボス部６１ａ,６２ａの中央には、Ｚ方向に延在するねじ孔が設けられる。２つのボス部６１ａ,６２ａは、中心軸を挟んでＲ方向に対向配置される。照明装置１は、２つのねじ８１を備え、２つのねじ８１は、中心を挟んでＲ方向に対向配置される。各ねじ８１が、上側から基台１０、外側円筒状部材６１のボス部６１ａのねじ孔、及び内側円筒状部材６２のボス部６２ａのねじ孔に締め込まれ、枠体６０が基台１０に固定される。
【００１２】
取付部５５は、２つの取付バネ７１を有する。２つの取付バネ７１は、例えば、枠体６０の径方向（Ｒ方向に一致）に中心軸を挟んで対向するように枠体６０外側に配置され、各取付バネ７１は、枠体６０に取り付けられる。各取付バネ７１は、天井の埋め込み孔に固定される前の状態においてＺ方向に略直交する方向に延在する。取付バネ７１は、例えば、長尺状の金属板によって構成され、板バネ構造を有する。照明装置１は、取付バネ７１が埋め込み孔の周囲に当接することで天井に固定される。なお、取付バネ７１は３以上設けられてもよい。また、取付部の構造は、図１に示す構造に限定されず、照明装置において取付部を除いた部分である照明本体を天井に固定できる構造であれば如何なる構造でもよい。
【００１３】
図３は、照明装置１をＲＺ平面で切断したときの断面図であり、図４は、図２と異なる角度から見たときの、照明装置１の主要部の分解斜視図である。図３及び図４に示すように、照明装置１は、光源２０、保持部材３０、反射部材４０、及び透光部材５０を更に備える。後で説明するが、光源２０は、保持部材３０を介して基台１０の底面である主面１４（図３参照）に取り付けられる。
【００１４】
光源２０は、照明装置１の照明光となる光を発する。図３に示すように、光源２０は、基板２１と、発光部２２を有する。基板２１は、平面視で略正方形の形状を有し、発光部２２は、円板状の形状を有する。発光部２２は、基板２１の下側面（実装面）の略中央に配設される。光源２０は、ＣＯＢ（Chip On Board）構造を有し、発光部２２は、基板２１に実装された複数のＬＥＤ（light emitting diode）と、複数のＬＥＤを封止する封止部材を含む。ＬＥＤは、発光素子の一例である。基板２１は、例えば、セラミックス基板、樹脂基板又はメタルベース基板等で構成される。詳述しないが、基板２１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００１５】
ＬＥＤは、例えば、単色の可視光を発するベアチップで構成され、通電されれば青色光を発する青色ＬＥＤチップで構成される。複数のＬＥＤは、例えば基板２１にマトリクス状に配置される。なお、ＬＥＤは、基板に１つのみ実装されてもよい。封止部材は、例えば、透光性樹脂で構成され、ＬＥＤからの光を波長変換する波長変換材として蛍光体を含む。封止部材は、例えば、シリコーン樹脂に蛍光体粒子を分散させた蛍光体含有樹脂で構成される。光源２０が白色光を出射し、ＬＥＤが青色光を発光する青色ＬＥＤチップである場合、蛍光体粒子は、例えばＹＡＧ系の黄色蛍光体で構成される。封止部材は、例えば、全てのＬＥＤを一括封止してもよく、複数のＬＥＤを列ごとにライン状に封止してもよく、各ＬＥＤを１つずつ個別に封止してもよい。
【００１６】
次に、図２、図５〜図７を用いて、基台１０に対する光源２０の取付構造について説明する。図５は、保持部材３０の第１ホルダ３１を上側から見たときの斜視図であり、図６は、第１ホルダ３１を下側から見たときの斜視図である。図２及び図５を参照して、保持部材３０は、第１ホルダ３１と、２つの第２ホルダ３２を有する。図６に示すように、第１ホルダ３１は、外側が全周にわたって同一高さの外側壁部３４に覆われ、中央部に貫通孔３９を有する。貫通孔３９は、基板２１の表側面に対応する開口形状を有する貫通孔の周囲の一部に、内側に突出すると共に下面が平面である基板係止部３３を設けることで、開口面積が基板係止部３３の部分だけ小さくなる形状を有する。外側壁部３４の内側には、第１ホルダ３１に対する基板２１の水平方向の位置決めが可能な内側壁部３５が、貫通孔３９周辺に設けられる。内側壁部３５の内面は、基板２１の側面の一部に対応する形状を有する。光源２０は、発光部２２を下側にした姿勢で、上面が基板係止部３３に当接するまで内側壁部３５の内部に収容され、内側壁部３５で水平方向の移動が規制される。その結果、光源２０が第１ホルダ３１に対して水平方向に相対移動不可となる。
【００１７】
図６に示すように、第１ホルダ３１は、２つの第２ホルダ収容スペース３７を有する。この２つの第２ホルダ収容スペース３７の夫々には、下側から第２ホルダ３２（図２参照）が収容される。図７は、下側から保持部材３０が見えるようにした平面図である。図７に示すように、各第２ホルダ３２は、平板部３２ａを有し、Ｚ方向から見たとき、平板部３２ａは、基板下面の周囲の一部に重なる。また、各第２ホルダ３２は、ねじ孔を有し、このねじ孔は、Ｚ方向から見たとき第１ホルダ３１に設けられたねじ孔３８（図６参照）に重なる。第１ホルダ３１の基板係止部３３と、２つの第２ホルダ３２の２つの平板部３２ａで基板２１をＺ方向に挟持した状態で、一方のねじ３６を、一方の第２ホルダ３２、第１ホルダ３１、基台１０に締め込み、他方のねじ３６を、他方の第２ホルダ３２、第１ホルダ３１、基台１０に締め込むことで、光源２０を基台１０に固定する。図３に示すように、この状態で、第１ホルダ３１の上面の一部を構成する環状部３１ａが、基台１０の主面１４の一部を構成する環状部１４ａに隙間なく当接する。また、基板２１の上面の中央部２１ａが、基台１０の主面１４の他の一部１４ｂに隙間なく当接し、光源２０で生成された熱が効率良く放熱される。図５に示すように、第１ホルダ３１の環状部３１ａは、貫通孔３９の上側開口の周りを取り囲む。再度、図６を参照して、外側壁部３４は、下側に開口すると共に外側壁部３４を厚さ方向に貫通する切欠７０を有する。切欠７０は、半円弧状の縁を有する。切欠７０の役割、及び切欠７０が半円弧状の縁を有する理由については、後で説明する。
【００１８】
次に反射部材４０及び透光部材５０に関し、役割とそれらの取付構造について、図８〜図１２を用いて説明する。図８は、光源２０、保持部材３０、反射部材４０、及び透光部材５０を含むアッセンブリの斜視図であり、図９は、光源２０、保持部材３０、反射部材４０、透光部材５０、及び枠体６０を含むアッセンブリである。また、図１０は、透光部材５０を上側から見たときの斜視図であり、図１１は、反射部材４０を上側から見たときの斜視図であり、図１２は、反射部材４０を下側から見た時の斜視図である。
【００１９】
図８に示すように、保持部材３０及び反射部材４０は、平面視において略同一の矩形状部分を有し、それらの矩形状部分は、Ｚ方向から見たとき重なる。また、保持部材３０及び反射部材４０は、矩形状部分の対角線上の２つの角部に湾曲形状を有する凹部７３,７４を含む。これらの凹部７３,７４は、ねじ８１（図１参照）の軸部の一部に対応する形状になっている。これらの凹部７３,７４は、互いに相俟って保持部材３０及び反射部材４０をＺ方向に貫通する。また、これらの凹部７３,７４は、Ｒ方向外側に開口する。
【００２０】
反射部材４０は、中心軸を挟んでＲ方向に対向する２つの係止部４３を有する。各係止部４３は、θ方向に対向する２つの側壁部４３ａと、略θ方向に延在して各側壁部４３ａの下側先端部同士を連結する連結部４３ｂを含む。各側壁部４３ａは、反射部材４０の矩形状部からＲ方向外側に延在した後にＺ方向下側に屈曲し、その後、Ｚ方向下側に延在する。図１０に示すように、透光部材５０は、ＲＺ切平面での断面形状が、略Ｌ字状の２つの第１突出部５１を有し、２つの第１突出部５１は、中央軸を挟んでＲ方向に対向する。各第１突出部５１は、高さ方向延在部５１ａと、径方向延在部５１ｂを含む。図８に示すように、径方向延在部５１ｂを、２つの側壁部４３ａでθ方向に挟持すると共に、径方向延在部５１ｂの下面を連結部４３ｂの上面で上側に付勢することで、透光部材５０を矩形状部側に押圧する。その結果、透光部材５０が反射部材４０に固定される。なお、詳述しないが、図１０に示すように、透光部材５０は、第１突出部５１と異なる周方向位置に２つの第２突出部５２を有する。この第２突出部５２は、枠体６０の内周側に設けられた係止部に係止される。この係止によって、透光部材５０の落下を２重に防止し、安全に万全を期している。係止部は、例えば、高さ方向に延在する溝や凹部で構成され、これら溝や凹部は、下側が封鎖部で塞がれる。第２突出部５２は、これら溝や凹部でθ方向両側が挟持され、封鎖部に係止される。
【００２１】
図９に示すように、反射部材４０の下面の一部は、外側円筒状部材６１の各ボス部６１ａの上面の一部にねじ孔に重ならないように当接する。基台１０を枠体６０に固定する際、各ねじ８１（図１参照）の軸部を、凹部７３,７４を通過させた後、ボス部６１ａ,６２ａのねじ孔に締め込む。その結果、保持部材３０及び反射部材４０が、基台１０と枠体６０でＺ方向に押圧され、その間に隙間が略存在しない状態で基台１０及び枠体６０に固定される。このようにして、基台１０、光源２０、保持部材３０、反射部材４０、透光部材５０、及び枠体６０が、一体化され、照明装置１が構成される。
【００２２】
図１１に示すように、反射部材４０は、上側に円錐状部７５を有する、円錐状部７５の中央部には、貫通孔４１が設けられ、円錐状部７５の貫通孔４１を取り囲む上面７６は、略Ｒθ平面上に位置する。光源２０、保持部材３０、及び反射部材４０が、一体になった状態で、基板２１の下面の周辺部が、上面７６に隙間なく当接し、この状態で、発光部２２が、貫通孔４１の上側領域に収容される。図１２に示すように、貫通孔４１の内周面には、１以上の円錐内周面４８が含まれる。円錐内周面４８の内径は、下側に行くにしたがって大きくなる。図３に示すように、透光部材５０は、反射部材４０に隙間なく取り付けられる。図１２に示す円錐内周面４８は、光源２０から光を透光部材５０側に反射する。
【００２３】
反射部材４０は、その内周面が光源２０から出射された光を反射することで光源２０からの光の配光を制御する。反射部材４０は、例えば白色樹脂材料によって形成される。反射部材４０を構成する樹脂材料としては、ポリブチレンテレフタレート等を好適に使用できる。なお、反射部材４０は、アルミニウム等の金属材料によって形成されてもよく、樹脂成型品の内面にアルミニウム等の金属膜を形成したものでもよい。
【００２４】
また、図１０に示す透光部材５０は、透光性を有する透光部材であり、反射部材４０からの光を透過する。透光部材５０は、反射部材４０の下側開口を覆い、その結果、光源２０の下側を覆うように配設され、光源２０を保護する。透光部材５０は、反射部材４０からの光の配光を制御する配光制御機能を有してもよい。本実施形態では、透光部材５０は、フレネルレンズであり、レンズ機能を有する。また、透光部材５０の光出射側の表面には複数の凹凸が形成され、透光部材５０は光拡散機能も有する。透光部材５０は、透光性を有する透光性材料によって構成される。透光部材５０は、アクリル、ポリカーボネート等の透明樹脂材料、又は、ガラス材料によって形成されると好ましい。
【００２５】
再度、図１１を参照して、反射部材４０は、円錐状部７５を取り囲むように全周に亘って配置される外壁部７７を有する。外壁部７７の上面７８は、平面で構成され、円錐状部７５の上面７６よりも下側に位置する。外壁部７７は、上側に開口すると共に外壁部７７を厚さ方向に貫通する切欠９０を有する。切欠９０は、半円弧状の縁を有する。
【００２６】
図９に示すように、保持部材３０と反射部材４０とが一体となった状態で、保持部材３０の切欠７０と反射部材４０の切欠９０は、互いに相俟って略円筒状の貫通孔９１を構成する。貫通孔９１は、Ｒθ平面上を延在する。この貫通孔９１には、外部から光源２０に電力を供給するケーブル（図示せず）が挿通される。貫通孔９１の内周面は、光源に電力を供給するケーブルの外周面に対応する形状を有する。貫通孔９１の内周面と、ケーブルの外周面は、僅かな隙間、例えば、０.３ｍｍ以上０.５ｍｍ以下の隙間を介して貫通孔９１の径方向に対向してもよく、当該隙間は、０.３ｍｍ未満であってもよい。
【００２７】
再度、図３を参照して、保持部材３０の外側壁部３４は、Ｚ方向の下側端部に環状の接触部８５を有する。接触部８５は、環状の第１端面８６、第１端面８６につながる環状の段部８７、及び段部８７の第１端面８６側とは反対側の端部につながる環状の第２端面８８を含む。第１端面８６及び第２端面８８は、互いに異なるＺ方向位置に存在すると共に略Ｒθ平面上に位置する。
【００２８】
また、反射部材４０におけるＺ方向の他方側端部には、接触部８５の形状に対応する形状を有すると共に接触部８５に嵌め合わされる環状の被接触部９５が設けられる。被接触部９５は、環状の第１端面９６、第１端面９６につながる環状の段部９７、及び段部９７の第１端面９６側とは反対側の端部につながる環状の第２端面９８を含む。第１端面９６及び第２端面９８は、互いに異なるＺ方向位置に存在すると共に略Ｒθ平面上に位置する。
【００２９】
接触部８５と被接触部９５が互いに嵌め合わされた状態で、接触部８５の第１端面８６と被接触部９５の第１端面９６が僅かな隙間を介して対向し、接触部８５の段部８７と被接触部９５の段部９７が僅かな隙間を介して対向する。また、接触部８５と被接触部９５が互いに嵌め合わされた状態で、接触部８５の第２端面８８と被接触部９５の第２端面９８が僅かな隙間を介して対向する。その結果、環状の接触部８５と環状の被接触部９５との間にラビリンス構造（迷路構造）が生成される。なお、接触部の第１端面及び被接触部の第１端面は、Ｒθ平面に対して鋭角で傾斜する平面上に位置してもよい。また、接触部の第２端面及び被接触部の第２端面も、Ｒθ平面に対して鋭角で傾斜する平面上に位置してもよい。
【００３０】
照明装置１では、光源２０の側方が保持部材３０の外側壁部３４（図６参照）によって全周によって覆われる。また、保持部材３０の外側壁部３４の下側に存在する環状の接触部８５が、反射部材４０の環状の被接触部９５とラビリンス構造を介して係合する。また、図３に示すように、反射部材４０の環状の下側端部６７と、透光部材５０の環状の縁部６８が、接触又は僅かな隙間を介して対向する。また、図３及び図５に示すように、第１ホルダ３１の上面において貫通孔３９の上側開口を取り囲む環状部３１ａが、基台１０の主面１４の環状部１４ａに隙間なく当接する。
【００３１】
以上、照明装置１は、基板２１、及び基板２１に実装されたＬＥＤを含む光源２０と、基板２１を保持する保持部材３０と、光源２０から出射された光を反射する内周面を有する反射部材４０と、を備える。また、光源２０の側方が、保持部材３０の外側壁部３４と反射部材４０の外壁部７７とで全周に亘って囲まれる。
【００３２】
したがって、光源２０の側方からの虫の侵入を抑制できる。よって、虫が発光部２２を収容するスペースに入り込むことを抑制でき、虫の当該スペースへの侵入に起因する照射光の光量低下や見栄えの低下を抑制できる。
【００３３】
また、保持部材３０の外側壁部３４における高さ方向の一方側端部には、第１端面８６、第１端面８６につながる段部８７、及び段部８７の第１端面８６側とは反対側の端部につながる第２端面８８を含む接触部８５が設けられてもよい。また、反射部材４０の外壁部７７における高さ方向の他方側端部には、第１端面８６に対応する形状の第１端面９６、段部８７に対応する形状の段部９７、及び第２端面８８に対応する形状の第２端面９８を有して、接触部８５の形状に対応する形状を有する被接触部９５が設けられてもよい。そして、接触部８５と被接触部９５が互いに嵌め合わされてもよい。
【００３４】
保持部材の環状の下側端面を平面にすると共に、反射部材の環状の上側端面を平面として、平面同士を押し当てたとする。この場合、平面自体の凹凸により平面同士に隙間が生じ、当該隙間から虫が発光部収容スペースに侵入する虞がある。これに対し、本構成によれば、保持部材３０の外側壁部３４の接触部８５と、これに突き合わされる反射部材４０の被接触部９５との間にラビリンス構造(迷路構造)が形成される。したがって、このラビリンス構造で虫が発光部収容スペース内に侵入することを抑制できる。
【００３５】
また、保持部材３０及び反射部材４０の夫々が、半円弧状の縁を有する切欠７０,９０を有し、保持部材３０の切欠７０と、反射部材４０の切欠９０が、互いに相俟って貫通孔９１を構成してもよい。また、貫通孔９１の内周面が、その貫通孔９１を通過すると共に光源２０に電力を供給するケーブルの外周面に対応する形状を有してもよい。
【００３６】
上記構成によれば、保持部材３０の切欠７０と反射部材４０の切欠９０が相俟って形成される貫通孔９１と、ケーブルとの隙間を小さくできる。よって、その隙間から虫が発光収容スペースに侵入することを抑制できる。
【００３７】
また、保持部材３０と、反射部材４０と、透光部材５０によって、光源２０の側方及び光源２０の高さ方向の透光部材５０側のスペースが囲まれてもよい。
【００３８】
上記構成によれば、下側からの虫の発光部収容スペースへの侵入を透光部材５０で抑制できる。したがって、照射光の光量低下や見栄えの低下を抑制できる。
【００３９】
更には、図３及び図５に示すように、第１ホルダ３１の上面において貫通孔３９の上側開口を取り囲む環状部３１ａが、基台１０の主面１４の環状部１４ａに隙間なく当接してもよい。
【００４０】
上記構成によれば、虫が光源２０の上方から光源部収容スペースへ侵入することも抑制でき、照射光の光量低下や見栄えの低下を抑制できる。
【００４１】
尚、本開示は、上記実施形態およびその変形例に限定されるものではなく、本願の特許請求の範囲に記載された事項およびその均等な範囲において種々の改良や変更が可能である。
【００４２】
例えば、上記実施形態では、保持部材３０の接触部８５と、反射部材４０の被接触部９５との間に、段部８７,９７が１段のラビリンス構造を設ける場合について説明した。しかし、保持部材の接触部と、反射部材の接触部との間に、段部が２段以上のラビリンス構造を設けてもよい。又は、保持部材の接触部と、反射部材の接触部との間にラビリンス構造を設けなくてもよい。
【００４３】
また、保持部材３０の切欠７０と、反射部材４０の切欠９０が、互いに相俟って貫通孔９１を構成し、貫通孔９１の内周面が、光源２０に電力を供給するケーブルの外周面に対応する形状を有する場合について説明した。しかし、保持部材の切欠と、反射部材の切欠が、互いに相俟って構成する貫通孔の内周面が、ケーブルの外周面に対応する形状を有さなくてもよい。又は、ケーブルを通す貫通孔を、保持部材に単独で設けてもよい。なお、この場合においても、その貫通孔の内周面がケーブルの外周面に対応する形状であると好ましい。
【００４４】
また、透光部材５０がレンズ機能を有する場合について説明した。しかし、透光部材は、レンズ機能を有さない透光性カバー等で構成されてもよい。
【００４５】
また、反射部材４０の環状の下側端部６７と、透光部材５０の環状の縁部６８が、接触又は僅かな隙間を介して対向する場合について説明した。ここで、反射部材４０の環状の下側端部６７と、透光部材５０の環状の縁部６８も、接触部８５と被接触部９５の係合構造と同様にラビリンス構造で係合してもよい。すなわち、反射部材の環状の下側端部に、環状の第１端面、その第１端面につながる環状の段部、及びその段部の第１端面側とは反対側の端部につながる環状の第２端面を含む接触部を設けてもよい。また、透光部材の環状の縁部の上側に、環状の第１端面、その第１端面につながる環状の段部、及びその段部の第１端面側とは反対側の端部につながる環状の第２端面を含む被接触部を設けてもよい。そして、反射部材の第１端面と透光部材の第１端面、反射部材の段部と透光部材の段部、及び反射部材の第２端面と透光部材の第２端面の夫々を、僅かな隙間を介して対向させ、反射部材の接触部と透光部材の被接触部を嵌め合わせて係合してもよい。
【００４６】
また、照明装置１が、埋め込み型ライトである場合について説明したが、照明装置は、レールに吊り下げされる形式や、天井に吊り下げされる形式でもよい。要は、照明装置は、基板、及びその基板に実装された発光素子を含む光源と、基板を保持する保持部材と、光源から出射された光を反射する内周面を有する反射部材と、を備え、光源の側方が、保持部材の側壁と反射部材の側壁とで全周に亘って囲まれる構成を有すれば、如何なる形式の照明装置でもよい。
【符号の説明】
【００４７】
１  照明装置、  ２０  光源、  ２１  基板、  ３０  保持部材、  ３４  保持部材の外側壁部、  ４０  反射部材、  ５０  透光部材、  ７０  保持部材の切欠、  ７７  反射部材の外壁部、  ８５  保持部材の接触部、  ８６  保持部材の第１端面、  ８７  保持部材の段部、  ８８  保持部材の第２端面、  ９０  反射部材の切欠、  ９１  貫通孔、  ９５  反射部材の被接触部、  Ｒ方向  反射部材の貫通孔の径方向、  θ方向  反射部材の貫通孔の周方向、  Ｚ方向  照明装置の高さ方向。
【図１】
2019087505.tif 000003
【図２】
2019087505.tif 000004
【図３】
2019087505.tif 000005
【図４】
2019087505.tif 000006
【図５】
2019087505.tif 000007
【図６】
2019087505.tif 000008
【図７】
2019087505.tif 000009
【図８】
2019087505.tif 000010
【図９】
2019087505.tif 000011
【図１０】
2019087505.tif 000012
【図１１】
2019087505.tif 000013
【図１２】
2019087505.tif 000014